(57)【要約】【課題】アダプタの異常な動作によって湯はり運転が中断されることを抑制することが可能な技術を提供する。【解決手段】本明細書が開示する風呂装置は、熱源機と、湯はり経路と、浴槽に取り付けられたアダプタと、制御装置を備えている。アダプタは、流入口と、流出口と、流入口から流出口へ水が流れる経路を開閉可能な遮断弁と、遮断弁を開く方向に付勢する弾性部材と、流出口の近傍に設けられており、遮断弁を閉じる方向に付勢する付勢機構を備えている。付勢機構の付勢力は、付勢機構の温度に応じて変化する。制御装置は、熱源機で加熱された水を、予め設定された上限流量以下の流量で浴槽へ供給する湯はり運転を実行可能である。制御装置は、湯はり運転において、アダプタの異常な動作により遮断弁が閉じられたと判定した場合に、上限流量を低減させる。【選択図】図４
2020046166.tif 000002
【特許請求の範囲】
【請求項１】
水を加熱する熱源機と、
前記熱源機で加熱された水を浴槽へ供給する湯はり経路と、
前記浴槽に取り付けられており、前記湯はり経路からの水を前記浴槽の内部へ送り出すアダプタと、
制御装置を備えており、
前記アダプタは、
前記湯はり経路から水が流入する流入口と、
前記浴槽の内部へ水が流出する流出口と、
前記流入口から前記流出口へ水が流れる経路を開閉可能な遮断弁と、
前記遮断弁を開く方向に付勢する弾性部材と、
前記流出口の近傍に設けられており、前記遮断弁を閉じる方向に付勢する付勢機構を備えており、
前記付勢機構の付勢力は、前記付勢機構の温度に応じて変化し、
前記付勢機構の温度が所定温度に満たない場合に、前記付勢機構による付勢力が前記弾性部材による付勢力よりも小さくなり、
前記付勢機構の温度が前記所定温度以上の場合に、前記付勢機構による付勢力が前記弾性部材による付勢力よりも大きくなり、
前記制御装置は、前記熱源機で加熱された水を、予め設定された上限流量以下の流量で前記浴槽へ供給する湯はり運転を実行可能であり、
前記制御装置は、前記湯はり運転において、前記アダプタの異常な動作により前記遮断弁が閉じられたと判定した場合に、前記上限流量を低減させる、風呂装置。
【請求項２】
前記湯はり経路を流れる水の流量を検出する流量センサをさらに備えており、
前記制御装置は、前記湯はり運転の実行中に、前記湯はり運転を中断した後、再び前記湯はり運転を開始してから前記流量センサで検出される流量が所定流量以上となるまでの経過時間が所定時間に満たない場合に、前記アダプタの異常な動作により前記遮断弁が閉じられたと判定する、請求項１の風呂装置。
【請求項３】
前記湯はり経路を流れる水の温度を検出する温度センサをさらに備えており、
前記制御装置は、前記湯はり運転の実行中に、前記湯はり運転を中断し、かつ前記湯はり運転を中断した時点において前記温度センサで検出される温度が前記所定温度に満たない場合に、前記アダプタの異常な動作により前記遮断弁が閉じられたと判定する、請求項１または２の風呂装置。
【発明の詳細な説明】
【技術分野】
【０００１】
本明細書で開示する技術は、風呂装置に関する。
【背景技術】
【０００２】
特許文献１には、水を加熱する熱源機と、前記熱源機で加熱された水を浴槽へ供給する湯はり経路と、前記浴槽に取り付けられており、前記湯はり経路からの水を前記浴槽の内部へ送り出すアダプタと、制御装置を備える風呂装置が開示されている。前記アダプタは、前記湯はり経路から水が流入する流入口と、前記浴槽の内部へ水が流出する流出口と、前記流入口から前記流出口へ水が流れる経路を開閉可能な遮断弁と、前記遮断弁を開く方向に付勢する弾性部材と、前記流出口の近傍に設けられており、前記遮断弁を閉じる方向に付勢する付勢機構を備えている。前記付勢機構の付勢力は、前記付勢機構の温度に応じて変化する。前記付勢機構の温度が所定温度に満たない場合に、前記付勢機構による付勢力は前記弾性部材による付勢力よりも小さくなる。前記付勢機構の温度が前記所定温度以上の場合に、前記付勢機構による付勢力は前記弾性部材による付勢力よりも大きくなる。前記制御装置は、前記熱源機で加熱された水を、前記浴槽へ供給する湯はり運転を実行可能である。この風呂装置では、湯はり運転の実行中に、所定温度以上の水がアダプタから浴槽へ供給されると、付勢機構の温度が所定温度以上となって、遮断弁が閉じられる。
【先行技術文献】
【特許文献】
【０００３】
【特許文献１】特開２０１６−２００３３２号公報
【発明の概要】
【発明が解決しようとする課題】
【０００４】
浴槽に上記のようなアダプタが取り付けられている場合、大流量の水が湯はり経路からアダプタを介して浴槽へ供給されると、アダプタの内部において、乱流に起因する水の圧力変動が生じる。この場合、アダプタから浴槽へ供給される水の温度が所定温度よりも低いために付勢機構の温度も所定温度より低く、付勢機構による付勢力が小さいにも関わらず、水の圧力変動によって弾性部材の付勢力に抗して遮断弁が閉じてしまうという異常な動作を生じることがある。その後、圧力変動が解消されて遮断弁が開いた後に湯はり運転を再開しても、再び大流量の水が湯はり経路からアダプタを介して浴槽へ供給されると、再び遮断弁が閉じてしまい、それを繰り返してしまう。その結果、湯はり運転が何度も中断され、湯はり運転が完了するまで長時間を要することになる。本明細書では、アダプタの異常な動作によって湯はり運転が中断されることを抑制することが可能な技術を提供する。
【課題を解決するための手段】
【０００５】
本明細書が開示する風呂装置は、水を加熱する熱源機と、前記熱源機で加熱された水を浴槽へ供給する湯はり経路と、前記浴槽に取り付けられており、前記湯はり経路からの水を前記浴槽の内部へ送り出すアダプタと、制御装置を備えている。前記アダプタは、前記湯はり経路から水が流入する流入口と、前記浴槽の内部へ水が流出する流出口と、前記流入口から前記流出口へ水が流れる経路を開閉可能な遮断弁と、前記遮断弁を開く方向に付勢する弾性部材と、前記流出口の近傍に設けられており、前記遮断弁を閉じる方向に付勢する付勢機構を備えている。前記付勢機構の付勢力は、前記付勢機構の温度に応じて変化する。前記付勢機構の温度が所定温度に満たない場合に、前記付勢機構による付勢力が前記弾性部材による付勢力よりも小さくなる。前記付勢機構の温度が前記所定温度以上の場合に、前記付勢機構による付勢力が前記弾性部材による付勢力よりも大きくなる。前記制御装置は、前記熱源機で加熱された水を、予め設定された上限流量以下の流量で前記浴槽へ供給する湯はり運転を実行可能である。前記制御装置は、前記湯はり運転において、前記アダプタの異常な動作により前記遮断弁が閉じられたと判定した場合に、前記上限流量を低減させる。
【０００６】
上記の風呂装置では、湯はり運転において、大流量の水が湯はり経路からアダプタを介して浴槽へ供給されて、アダプタの異常な動作により遮断弁が閉じられると、その後の湯はり運転における上限流量を低減させる。このような構成とすることによって、大流量の水が流れることに起因して生じるアダプタ内部における水の圧力変動を抑制し、アダプタが異常な動作をすることを抑制することができる。アダプタの異常な動作によって湯はり運転が中断されることを抑制することができる。
【０００７】
上記の風呂装置は、前記湯はり経路を流れる水の流量を検出する流量センサをさらに備えていてもよい。前記制御装置は、前記湯はり運転の実行中に、前記湯はり運転を中断した後、再び前記湯はり運転を開始してから前記流量センサで検出される流量が所定流量以上となるまでの経過時間が所定時間に満たない場合に、前記アダプタの異常な動作により前記遮断弁が閉じられたと判定してもよい。
【０００８】
大流量の水が流れることに起因するアダプタの異常な動作によって遮断弁が閉じられた場合は、アダプタの内部で水が流れなくなると、乱流に起因する水の圧力変動が消失し、アダプタの異常な動作は速やかに解消されて、遮断弁が再び開かれる。このため、湯はり運転を中断した後、再び湯はり運転を開始してから流量センサで検出される流量が所定流量以上となるまでの経過時間が所定時間に満たない場合には、大流量の水が流れることに起因するアダプタの異常な動作によって遮断弁が閉じられた可能性が高い。上記の構成によれば、アダプタの異常な動作によって遮断弁が閉じられたか否かを、適切に判定することができる。
【０００９】
上記の風呂装置は、前記湯はり経路を流れる水の温度を検出する温度センサをさらに備えていてもよい。前記制御装置は、前記湯はり運転の実行中に、前記湯はり運転を中断し、かつ前記湯はり運転を中断した時点において前記温度センサで検出される温度が前記所定温度に満たない場合に、前記アダプタの異常な動作により前記遮断弁が閉じられたと判定してもよい。
【００１０】
湯はり経路からアダプタに供給される水の温度が所定温度以上の状態で、遮断弁が閉じた場合には、アダプタが正常な動作をしているものと考えられるが、湯はり経路からアダプタに供給される水の温度が所定温度に満たない状態で、遮断弁が閉じた場合には、アダプタが異常な動作をしているものと考えられる。このため、湯はり運転の実行中に、湯はり運転を中断し、かつ湯はり運転を中断した時点において温度センサで検出される温度が所定温度に満たない場合には、大流量の水が流れることに起因するアダプタの異常な動作によって遮断弁が閉じられた可能性が高い。上記の構成によれば、アダプタの異常な動作によって遮断弁が閉じられたか否かを、適切に判定することができる。
【図面の簡単な説明】
【００１１】
【図１】実施例に係る風呂給湯装置２の構成を模式的に示す。
【図２】実施例に係る風呂給湯装置２のアダプタ３２の構成を示す断面図である。
【図３】実施例に係る風呂給湯装置２の制御装置４６が実行する処理の例を示すフローチャートである。
【図４】実施例に係る風呂給湯装置２の制御装置４６が実行する処理の例を示すフローチャートである。
【発明を実施するための形態】
【００１２】
（実施例）
図１に示すように、本実施例の風呂給湯装置２は、上水道４から供給される低温の水を加熱して、浴槽６や、水栓８（例えばシャワーやカラン等）へ、高温の水を供給する。
【００１３】
給水経路１０の上流端は、上水道４に接続されている。給水経路１０には、流量センサ１２が設けられている。流量センサ１２は、給水経路１０を流れる水の流量を検出する。給水経路１０の下流端には、加熱経路１４の上流端と、第１バイパス経路１６の上流端が接続している。
【００１４】
加熱経路１４には、熱源機１８が介装されている。熱源機１８は、例えば、都市ガス等の燃料を燃焼させた燃焼熱によって水を加熱する燃焼熱源機である。加熱経路１４の下流端は、給湯経路２０の上流端に接続されている。
【００１５】
第１バイパス経路１６には、第１バイパス電磁弁２２が設けられている。第１バイパス電磁弁２２は、第１バイパス経路１６を開閉する。第１バイパス経路１６の下流端は、給湯経路２０の上流端に接続されている。なお、本実施例の風呂給湯装置２では、給水経路１０から加熱経路１４および第１バイパス経路１６に流れる水の流量と、加熱経路１４および第１バイパス経路１６から給湯経路２０に流れる水の流量は等しい。従って、給湯経路２０を流れる水の流量は、流量センサ１２によって検出される水の流量に一致する。
【００１６】
給湯経路２０には、出湯サーミスタ２４と、出湯サーボ弁２６が設けられている。出湯サーミスタ２４は、給湯経路２０を流れる水の温度を検出する。出湯サーボ弁２６は、給湯経路２０の開度を調整することで、給湯経路２０を流れる水の流量を制御する。給湯経路２０の下流端には、第１出湯経路２８の上流端と、第２出湯経路３０の上流端が接続されている。
【００１７】
第１出湯経路２８の下流端は、浴槽６の内側に設けられたアダプタ３２に接続されている。第１出湯経路２８を流れる水は、アダプタ３２を介して浴槽６に供給される。第１出湯経路２８には、湯はり電磁弁３４、第１逆止弁３６が設けられている。湯はり電磁弁３４は、第１出湯経路２８を開閉する。第１逆止弁３６は、第１出湯経路２８において、水が逆流することを防止する。
【００１８】
第２出湯経路３０の下流端は、水栓８に接続されている。第２出湯経路３０を流れる水は、水栓８に供給される。第２出湯経路３０には、第２逆止弁３８が設けられている。第２逆止弁３８は、第２出湯経路３０において、水が逆流することを防止する。
【００１９】
第２出湯経路３０の第２逆止弁３８より下流側と、給水経路１０の流量センサ１２より上流側は、第２バイパス経路４０を介して接続されている。第２バイパス経路４０には、第２バイパス電磁弁４２と、水流スイッチ４４が設けられている。第２バイパス電磁弁４２は、第２バイパス経路４０を開閉する。水流スイッチ４４は、第２バイパス経路４０における水流の有無を検知する。
【００２０】
制御装置４６は、流量センサ１２、出湯サーミスタ２４、水流スイッチ４４からの検出信号を受信する。制御装置４６は、熱源機１８、第１バイパス電磁弁２２、出湯サーボ弁２６、湯はり電磁弁３４、第２バイパス電磁弁４２に制御信号を送信して、これらの動作を制御する。
【００２１】
制御装置４６は、通常時は、第１バイパス電磁弁２２を開いている。この場合、給水経路１０を流れる水の一部は加熱経路１４を介して給湯経路２０へ送られ、残りは第１バイパス経路１６を介して給湯経路２０へ送られる。このため、加熱経路１４によって水を加熱している場合、給湯経路２０において、加熱経路１４からの高温の水と、第１バイパス経路１６からの低温の水が混合されて、温度調整された水が第１出湯経路２８や第２出湯経路３０に送られる。なお、浴槽６や水栓８に所定温度（例えば６０℃）以上の高温の水を供給する場合には、制御装置４６は、第１バイパス電磁弁２２を閉じる。この場合、給水経路１０を流れる水の全量が加熱経路１４を介して給湯経路２０へ送られる。このため、給湯経路２０には、加熱経路１４からの高温の水がそのまま供給され、高温の水が第１出湯経路２８や第２出湯経路３０に送られる。
【００２２】
制御装置４６は、通常時は、第２バイパス電磁弁４２を閉じており、後述する湯はり運転を実行する際には、第２バイパス電磁弁４２を開く。この場合、湯はり運転の実行中に水栓８が開かれると、第２バイパス経路４０に水流が生じて、水流スイッチ４４がオンになる。制御装置４６は、湯はり運転の実行中に水流スイッチ４４がオンになると、水栓８への水の供給を優先して、湯はり電磁弁３４を閉じて湯はり運転を中断するとともに、第２バイパス電磁弁４２を閉じる。
【００２３】
図２はアダプタ３２の内部の構造を示している。アダプタ３２は、全体がドーム形状のケーシング４８によって覆われている。ケーシング４８の下部の側面には、複数の流出口５０が形成されている。ケーシング４８の内部には、第１出湯経路２８から水が供給される流入口５２と、流入口５２から供給される水を流出口５０へ送り出すノズル５４と、ノズル５４の上流側を開閉可能な遮断弁５６と、遮断弁５６を開く方向に付勢する圧縮バネ５８と、遮断弁５６を閉じる方向に付勢する感温バネ６０が設けられている。
【００２４】
感温バネ６０は、例えば形状記憶合金製のバネである。感温バネ６０は、低温時には、遮断弁５６を閉じる方向に付勢する力が弱くなり、高温時には、遮断弁５６を閉じる方向に付勢する力が強くなるように構成されている。アダプタ３２では、感温バネ６０の温度が所定温度（例えば６０℃）より低い場合には、圧縮バネ５８の付勢力が感温バネ６０の付勢力よりも強く、遮断弁５６は開かれている。感温バネ６０の温度が所定温度（例えば６０℃）以上となると、感温バネ６０の付勢力が圧縮バネ５８の付勢力よりも強くなり、遮断弁５６が閉じられる。このように、アダプタ３２の遮断弁５６は、感温バネ６０の温度に応じて自動的に開閉する。
【００２５】
このようなアダプタ３２を備える風呂装置３２において、湯はり運転を実行して浴槽６に水を供給する際、供給する水が所定温度以上の高温の場合、例えば、浴槽６内の水温を上昇させるために実行する差し湯を行う場合、浴槽６内にアダプタ３２を覆う以上の水位まで水がある場合には、感温バネ６０の温度は所定温度以上まで上昇しないため、遮断弁５６は閉じられない。一方、浴槽６内に水が無い場合には、ノズル５４から流出口５０へ送り出される水が、ケーシング４８の内面等で跳ね返り感温バネ６０に接触することにより、感温バネ６０の温度が所定温度以上となり、遮断弁５６が閉じられ、浴槽６内への高温の水の供給を停止する。これによって、浴槽６内の水が所定温度以上となることを防止し、使用者の安全性を確保することができる。
【００２６】
上記のような構成のアダプタ３２においては、アダプタ３２に供給される水の流量が大きい（例えば、２３Ｌ／分以上）と、アダプタ３２の内部に乱流が生じて、感温バネ６０の温度が低いにも関わらず、水の圧力変動によって遮断弁５６が閉じてしまうことがある。このような遮断弁５６の誤作動が生じると、アダプタ３２には高温の水は供給されておらず、安全性に問題がないにも関わらず、湯はり運転が中断されてしまい、利便性を損なってしまう。そこで、本実施例の風呂給湯装置２では、遮断弁５６に誤作動が生じた場合には、その後に行う湯はり運転において同様の誤作動を生じないように、アダプタ３２に供給される水の流量を低減させる。
【００２７】
図３、図４は、本実施例の風呂給湯装置２の湯はり運転の際に制御装置４６が行う処理を示している。
【００２８】
Ｓ２では、制御装置４６は、湯はり電磁弁３４を開く。制御装置４６は、湯はり電磁弁３４を開くと、その後に湯はり電磁弁３４が閉じられるまで、給湯経路２０を流れる水の流量が予め設定された湯はり最大流量Ｗｍａｘ以下となるように、出湯サーボ弁２６を制御する。最初、湯はり最大流量Ｗｍａｘは、例えば２４Ｌ／分に設定されている。
【００２９】
Ｓ４では、制御装置４６は、流量センサ１２で検出される流量Ｗが所定の点火水量（例えば３Ｌ／分）以上であるか否かを判断する。流量Ｗが点火水量に満たない場合（ＮＯの場合）、処理はＳ６へ進む。
【００３０】
Ｓ６では、制御装置４６は、Ｓ２で湯はり電磁弁３４を開いてから、所定時間（例えば６０秒）が経過したか否かを判断する。所定時間が経過していない場合（ＮＯの場合）、処理はＳ４へ戻る。所定時間が経過している場合（ＹＥＳの場合）、処理はＳ８へ進む。
【００３１】
Ｓ８では、制御装置４６は、湯はり電磁弁３４を閉じる。
【００３２】
Ｓ１０では、制御装置４６は、使用者にエラーを報知して、湯はり運転を終了する。
【００３３】
Ｓ４で流量Ｗが点火水量以上の場合（ＹＥＳの場合）、処理はＳ１２へ進む。Ｓ１２では、制御装置４６は、熱源機１８での燃焼を開始し、熱源機１８による水の加熱を開始する。
【００３４】
Ｓ１４では、制御装置４６は、流量センサ１２で検出される流量Ｗが所定の消火水量（例えば２Ｌ／分）以下であるか否かを判断する。流量Ｗが消火水量を超えている場合（ＮＯの場合）、処理はＳ１６へ進む。
【００３５】
Ｓ１６では、制御装置４６は、湯はり運転を開始してから浴槽６に供給した総水量（総湯はり量ともいう）が、所定の湯はり設定量（例えば２００Ｌ）以上であるか否かを判断する。総湯はり量は、例えば、流量センサ１２で検出される水の流量を、湯はり運転の開始時点から積算していくことによって、取得することができる。総湯はり量が湯はり設定量に満たない場合（ＮＯの場合）、処理はＳ１４へ戻る。総湯はり量が湯はり設定量以上の場合（ＹＥＳの場合）、処理はＳ１８へ進む。
【００３６】
Ｓ１８では、制御装置４６は、湯はり電磁弁３４を閉じる。
【００３７】
Ｓ２０では、制御装置４６は、熱源機１８での燃焼を停止して、熱源機１８による水の加熱を停止する。Ｓ２０の後、湯はり運転は終了する。
【００３８】
Ｓ１４で流量Ｗが消火水量以下の場合（ＹＥＳの場合）、処理はＳ２２へ進む。Ｓ２２では、制御装置４６は、湯はり電磁弁３４を閉じる。
【００３９】
Ｓ２４では、制御装置４６は、熱源機１８での燃焼を停止して、熱源機１８による水の加熱を停止する。
【００４０】
図４のＳ２６では、制御装置４６は、出湯サーミスタ２４で検出される出湯温度Ｔｈが所定温度（例えば６０℃）を下回るか否かを判断する。出湯温度Ｔｈが所定温度以上の場合（ＮＯの場合）、処理はＳ２へ戻る。出湯温度Ｔｈが所定温度を下回る場合（ＹＥＳの場合）、処理はＳ２８へ進む。
【００４１】
Ｓ２８では、制御装置４６は、Ｓ２で湯はり電磁弁３４を開いてからの経過時間Ｔ１が第１所定時間（例えば３０秒）未満であるか否かを判断する。経過時間Ｔ１が第１所定時間以上の場合（ＮＯの場合）、処理はＳ２へ戻る。経過時間Ｔ１が第１所定時間未満の場合（ＹＥＳの場合）、処理はＳ３０へ進む。
【００４２】
Ｓ３０では、制御装置４６は、湯はり電磁弁３４を開く。
【００４３】
Ｓ３２では、制御装置４６は、流量センサ１２で検出される流量Ｗが所定の点火水量以上であるか否かを判断する。流量Ｗが点火水量に満たない場合（ＮＯの場合）、処理はＳ３４へ進む。
【００４４】
Ｓ３４では、制御装置４６は、Ｓ３０で湯はり電磁弁３４を開いてから、所定時間が経過したか否かを判断する。所定時間が経過していない場合（ＮＯの場合）、処理はＳ３２へ戻る。所定時間が経過している場合（ＹＥＳの場合）、処理はＳ３６へ進む。
【００４５】
Ｓ３６では、制御装置４６は、湯はり電磁弁３４を閉じる。
【００４６】
Ｓ３８では、制御装置４６は、使用者にエラーを報知して、湯はり運転を終了する。
【００４７】
Ｓ３２で流量Ｗが点火水量以上の場合（ＹＥＳの場合）、処理はＳ４０へ進む。Ｓ４０では、制御装置４６は、熱源機１８での燃焼を開始し、熱源機１８による水の加熱を開始する。
【００４８】
Ｓ４２では、制御装置４６は、Ｓ３０で湯はり電磁弁３４を開いてからの経過時間Ｔ２が第２所定時間（例えば５秒）未満であるか否かを判断する。経過時間Ｔ２が第２所定時間以上の場合（ＮＯの場合）、処理はＳ１４へ戻る。経過時間Ｔ２が第２所定時間未満の場合（ＹＥＳの場合）、処理はＳ４４へ進む。
【００４９】
Ｓ４４では、制御装置４６は、カウントＮを１増加させる。
【００５０】
Ｓ４６では、制御装置４６は、カウントＮが所定回数（例えば３回）以上であるか否かを判断する。カウントＮが所定回数に満たない場合（ＮＯの場合）、処理はＳ１４へ戻る。カウントＮが所定回数以上の場合（ＹＥＳの場合）、処理はＳ４８へ進む。
【００５１】
Ｓ４８では、制御装置４６は、湯はり最大流量Ｗｍａｘを所定流量幅（例えば１Ｌ／分）だけ低下させる。Ｓ４８の後、処理はＳ１４へ戻る。
【００５２】
なお、Ｓ４２、Ｓ４６、Ｓ４８からＳ１４へ処理が戻った場合、その後のＳ２８では、Ｓ３０で湯はり電磁弁３４を開いてからの経過時間をＴ１として、経過時間Ｔ１が第１所定時間未満であるか否かを判断する。
【００５３】
図３、図４の処理によれば、湯はり運転が終了する前に、流量Ｗが消火水量以下となって（Ｓ１４でＹＥＳ）、湯はり電磁弁３４が閉じられ（Ｓ２２）、熱源機１８による水の加熱が停止した場合（Ｓ２４）に、以下の条件（１）−（３）が全て満たされると、カウントＮが増加する。
（１）流量センサ１２で検出される流量Ｗが消火水量以下となって、湯はり電磁弁３４を閉じ、熱源機１８による水の加熱を停止して湯はり運転を中断した時点での、出湯サーミスタ２４で検出される出湯温度Ｔｈが所定温度未満である（Ｓ２６でＹＥＳ）。
（２）流量センサ１２で検出される流量Ｗが消火水量以下となって、湯はり電磁弁３４を閉じ、熱源機１８による水の加熱を停止して湯はり運転を中断した場合に、湯はり電磁弁３４を開いてから湯はり運転を中断するまでの経過時間Ｔ１が、第１所定時間未満である（Ｓ２８でＹＥＳ）。
（３）流量センサ１２で検出される流量Ｗが消火水量以下となって、湯はり電磁弁３４を閉じ、熱源機１８による水の加熱を停止して湯はり運転を中断した後に、再び湯はり電磁弁３４を開いて、熱源機１８による水の加熱を開始した場合に、再び湯はり電磁弁３４を開いてから流量センサ１２で検出される流量Ｗが点火水量以上となるまでの経過時間Ｔ２が第２所定時間未満である（Ｓ４２でＹＥＳ）。
【００５４】
上記の条件（１）を満たさない場合は、アダプタ３２に所定温度以上の高温の水が供給されたことで、遮断弁５６が閉じられたものと考えられる。この場合には、アダプタ３２は正常に動作しており、大流量の水が供給されたことによるアダプタ３２の誤作動とは考えにくい。
【００５５】
上記の条件（２）を満たさない場合は、湯はり運転の開始からある程度の時間が経過してから、例えば断水や他の水栓への水の供給に起因して、流量Ｗが消火水量以下となり、湯はり運転が中断したものと考えられる。アダプタ３２に大流量の水が供給されて遮断弁５６が閉じてしまう場合は、湯はり運転の開始直後から遮断弁５６が閉じ、湯はり運転が中断するものと考えられる。従って、この場合も、大流量の水が供給されたことによるアダプタ３２の誤作動とは考えにくい。
【００５６】
上記の条件（３）を満たさない場合は、湯はり運転が中断され、湯はり運転の再開からある程度の時間が経過してから、流量Ｗが点火水量以上となったものと考えられる。この場合も、断水や他の水栓への水の供給に起因して、流量Ｗが消火水量以下となって湯はり運転が中断したものと考えられる。従って、この場合も、大流量の水が供給されたことによるアダプタ３２の誤作動とは考えにくい。
【００５７】
上記の条件（１）−（３）が全て満たされる場合には、大流量の水が供給されたことによるアダプタ３２の誤作動によって遮断弁５６が閉じられたものと考えられる。図３、図４の処理では、条件（１）−（３）が全て満たされる事象が所定回数生じた場合（Ｓ４６でＹＥＳ）に、湯はり最大流量Ｗｍａｘを、それまでの設定値よりも低い値に変更する。これによって、その後の湯はり運転において、大流量の水が供給されることによるアダプタ３２の誤作動を抑制することができる。
【００５８】
なお、より簡易的に判定する場合には、制御装置４６は、上記の条件（１）−（３）についてすべて判定する必要はなく、例えば、上記の条件（１）−（３）のうちの何れか１つまたは２つが満たされた回数が所定回数に達した場合に、Ｓ４８の処理を実行してもよい。
【００５９】
なお、上記の条件（３）については、流量センサ１２で検出される流量Ｗが点火水量以上となった場合に、湯はり運転が再開されたと判断しているが、流量Ｗが、点火水量でなくても、湯はり運転が再開されたと判断できる流量（例えば２Ｌ／分〜１０Ｌ／分）以上となった場合に、湯はり運転が再開されたと判断してもよい。
【００６０】
以上のように、本実施例の風呂給湯装置２（風呂装置の例）は、水を加熱する熱源機１８と、熱源機１８で加熱された水を浴槽６へ供給する給湯経路２０および第１出湯経路２８（湯はり経路の例）と、浴槽６に取り付けられており、第１出湯経路２８からの水を浴槽６の内部へ送り出すアダプタ３２と、制御装置４６を備えている。アダプタ３２は、第１出湯経路２８から水が流入する流入口５２と、浴槽６の内部へ水が流出する流出口５０と、流入口５２から流出口５０へ水が流れる経路を開閉可能な遮断弁５６と、遮断弁５６を開く方向に付勢する圧縮バネ５８（弾性部材の例）と、流出口５０の近傍に設けられており、遮断弁５６を閉じる方向に付勢する感温バネ６０（付勢機構の例）を備えている。感温バネ６０の付勢力は、感温バネ６０の温度に応じて変化する。感温バネ６０の温度が所定温度に満たない場合に、感温バネ６０による付勢力は圧縮バネ５８による付勢力よりも小さくなる。感温バネ６０の温度が所定温度以上の場合に、感温バネ６０による付勢力は圧縮バネ５８による付勢力よりも大きくなる。制御装置４６は、熱源機１８で加熱された水を、予め設定された湯はり最大流量Ｗｍａｘ（上限流量の例）以下の流量で浴槽６へ供給する湯はり運転を実行可能である。制御装置４６は、湯はり運転において、アダプタ３２の異常な動作により遮断弁５６が閉じられたと判定した場合に、湯はり最大流量Ｗｍａｘを低減させる。
【００６１】
上記の風呂給湯装置２では、湯はり運転において、大流量の水が第１出湯経路２８からアダプタ３２を介して浴槽６へ供給されて、アダプタ３２の異常な動作により遮断弁５６が閉じられると、その後の湯はり運転における湯はり最大流量Ｗｍａｘを低減させる。このような構成とすることによって、大流量の水が流れることに起因して生じるアダプタ３２内部における水の圧力変動を抑制し、アダプタ３２が異常な動作をすることを抑制することができる。アダプタ３２の異常な動作によって湯はり運転が中断されることを抑制することができる。
【００６２】
上記の風呂給湯装置２は、給湯経路２０を流れる水の流量を検出する流量センサ１２をさらに備えている。制御装置４６は、湯はり運転の実行中に、湯はり運転を中断した後、再び湯はり運転を開始してから流量センサ１２で検出される流量が点火水量（所定流量の例）以上となるまでの経過時間Ｔ２が第２所定時間（所定時間の例）に満たない場合に、アダプタ３２の異常な動作により遮断弁５６が閉じられたと判定する。
【００６３】
大流量の水が流れることに起因するアダプタ３２の異常な動作によって遮断弁５６が閉じられた場合は、アダプタ３２の内部で水が流れなくなると、乱流に起因する水の圧力変動が消失し、アダプタ３２の異常な動作は速やかに解消されて、遮断弁５６が再び開かれる。このため、湯はり運転を中断した後、再び湯はり運転を開始してから流量センサ１２で検出される流量が点火水量以上となるまでの経過時間Ｔ２が第２所定時間に満たない場合には、大流量の水が流れることに起因するアダプタ３２の異常な動作によって遮断弁５６が閉じられた可能性が高い。上記の構成によれば、アダプタ３２の異常な動作によって遮断弁５６が閉じられたか否かを、適切に判定することができる。
【００６４】
上記の風呂給湯装置２は、給湯経路２０を流れる水の温度を検出する出湯サーミスタ２４（温度センサの例）をさらに備えている。制御装置４６は、湯はり運転の実行中に、湯はり運転を中断し、かつ湯はり運転を中断した時点において出湯サーミスタ２４で検出される温度が所定温度に満たない場合に、アダプタ３２の異常な動作により遮断弁５６が閉じられたと判定する。
【００６５】
第１出湯経路２８からアダプタ３２に供給される水の温度が所定温度以上の状態で、遮断弁５６が閉じた場合には、アダプタ３２が正常な動作をしているものと考えられるが、第１出湯経路２８からアダプタ３２に供給される水の温度が所定温度に満たない状態で、遮断弁５６が閉じた場合には、アダプタ３２が異常な動作をしているものと考えられる。このため、湯はり運転の実行中に、湯はり運転を中断し、かつ湯はり運転を中断した時点において出湯サーミスタ２４で検出される温度が所定温度に満たない場合には、大流量の水が流れることに起因するアダプタ３２の異常な動作によって遮断弁５６が閉じられた可能性が高い。上記の構成によれば、アダプタ３２の異常な動作によって遮断弁５６が閉じられたか否かを、適切に判定することができる。
【００６６】
上記の実施例では、熱源機１８が燃料を燃焼させた燃焼熱によって水を加熱する燃焼熱源機である場合について説明したが、熱源機１８は、例えばヒートポンプや電気ヒータ等の、他の方式で水を加熱する熱源機であってもよい。
【００６７】
上記の実施例では、アダプタ３２の付勢機構が、形状記憶合金製の感温バネ６０である構成について説明した。これとは異なり、アダプタ３２の付勢機構が、例えば、流出口５０の水温を検出する温度センサと、その温度センサの検出温度に応じて遮断弁５６を閉じる方向に付勢するアクチュエータを備える構成としてもよい。この場合も、流出口５０の水温が所定温度（例えば６０℃）より低い場合には、アクチュエータの付勢力が圧縮バネ５８の付勢力よりも弱く、流出口５０の水温が所定温度（例えば６０℃）以上となると、アクチュエータの付勢力が圧縮バネ５８の付勢力よりも強くなるように、アクチュエータの動作を制御することによって、アダプタ３２の遮断弁５６を流出口５０の水温に応じて自動的に開閉することができる。
【００６８】
上記の実施例において、アダプタ３２に、遮断弁５６が開いているか閉じているかを検出する機構を設けてもよい。この場合、制御装置４６は、湯はり運転において、遮断弁５６が閉じたことを検出した時点での出湯サーミスタ２４の検出温度Ｔｈが所定温度未満の場合に、アダプタ３２の異常な動作によって遮断弁５６が閉じられたと判定して、湯はり最大流量Ｗｍａｘを低減させてもよい。
【００６９】
上記の実施例において、Ｓ２８の判断で使用する経過時間Ｔ１の開始時点および終了時点や、Ｓ４２の判断で使用する経過時間Ｔ２の開始時点および終了時点は、種々のタイミングとすることができる。経過時間Ｔ１の開始時点は、例えば、Ｓ４で流量Ｗが点火水量以上となった（ＹＥＳとなった）時点としてもよい。経過時間Ｔ１の終了時点は、湯はり運転が中断されたと判断できる時点であればよく、例えば、Ｓ１４で流量Ｗが消火水量以下となった（ＹＥＳとなった）時点でもよいし、Ｓ２２で湯はり電磁弁３４が閉じられた時点としてもよい。経過時間Ｔ２の開始時点は、例えば、Ｓ３２で流量Ｗが点火水量以上となった（ＹＥＳとなった）時点としてもよい。
【００７０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００７１】
２        ：風呂給湯装置
４        ：上水道
６        ：浴槽
８        ：水栓
１０      ：給水経路
１２      ：流量センサ
１４      ：加熱経路
１６      ：第１バイパス経路
１８      ：熱源機
２０      ：給湯経路
２２      ：第１バイパス電磁弁
２４      ：出湯サーミスタ
２６      ：出湯サーボ弁
２８      ：第１出湯経路
３０      ：第２出湯経路
３２      ：アダプタ
３４      ：湯はり電磁弁
３６      ：第１逆止弁
３８      ：第２逆止弁
４０      ：第２バイパス経路
４２      ：第２バイパス電磁弁
４４      ：水流スイッチ
４６      ：制御装置
４８      ：ケーシング
５０      ：流出口
５２      ：流入口
５４      ：ノズル
５６      ：遮断弁
５８      ：圧縮バネ
６０      ：感温バネ
【図１】
2020046166.tif 000003
【図２】
2020046166.tif 000004
【図３】
2020046166.tif 000005
【図４】
2020046166.tif 000006